(57)【要約】  【課題】  保守点検を効率的に行い、ダウンタイムを短くする保守点検システムを提供する。  【解決手段】  医療機器装置をネットワーク３を介して保守点検し、該保守状況を記録する保守点検システムにおいて、ネットワーク端末３で顧客及び医療機器装置を選択し、前記医療機器装置の点検表及び過去の保守作業履歴からＸ線管使用回数５１又はＩ．Ｉ．の相対輝度５２の推移をグラフに変換し、前記点検表及び前記グラフを同一画面に表示させ、該画面を印刷７０する。【選択図】      図１
2005215825.tif 000002
【特許請求の範囲】
【請求項１】
医療機器装置をネットワークを介して保守点検し、該保守状況を記録する保守点検システムにおいて、ネットワーク端末で顧客及び医療機器装置を選択し、前記医療機器装置の点検表及び過去の保守作業履歴からＸ線管使用回数又はＩ．Ｉ．の相対輝度の推移をグラフに変換し、前記点検表及び前記グラフを同一画面に表示させ、該画面を印刷することを特徴とする保守点検システム。
【発明の詳細な説明】
【技術分野】
【０００１】
医療機器の保守点検を効率的に行い、ダウンタイムを短くする保守点検システムに関する。
【背景技術】
【０００２】
従来、保守点検時の装置毎の点検表・チェックリストを準備持参し、点検を行っていた。点検の際には、前回の点検表を検索・確認し、点検表、チェックリスト、技術書を準備する。そして、前回の作業の状態を確認し、点検に必要な測定器・交換部品を準備するという工程がある。点検準備工程の中でも、前回の点検表を検索・確認し、点検表、チェックリスト、技術書を準備する準備期間が非常に長いため、ダウンタイムが長くなっていた。
【０００３】
そこで、医用システムの故障原因を短時間に特定し、ダウンタイムを短縮するために、再現試験サービス装置は、医用システムの過去の動作を再現するために、医用システムから直接的又は間接的に提供を受けた過去の複数のログファイルをログファイル記憶装置で記憶し、記憶したログファイルに基づいて医用システム1の過去の複数の動作を疑似的X線CTシステム上で再現していた。（例えば、特許文献1）
【特許文献１】特開2003-235836号公報
【発明の開示】
【発明が解決しようとする課題】
【０００４】
しかしながら、この特許文献1では、医用システムの過去の動作の再現することしかできないため、X線管の使用回数により後どれくらいの時期でX線管球を交換しなければならないか把握できず、また現地サービス員が顧客に報告するための点検報告書の作成、現地サービス員同士の情報の共有が効率的できず、結果的にダウンタイムが長くなっていた。
そこで本発明は、上記課題を解決し、ダウンタイムを短くする保守点検システムを提供することを目的とする。
【課題を解決するための手段】
【０００５】
前記課題を解決するために、医療機器装置をネットワークを介して保守点検し、該保守状況を記録する保守点検システムにおいて、ネットワーク端末で顧客及び医療機器装置を選択し、前記医療機器装置の点検表及び過去の保守作業履歴からX線管使用回数又はI.I.の相対輝度の推移をグラフに変換し、前記点検表及び前記グラフを同一画面に表示させ、該画面を印刷する。
【発明の効果】
【０００６】
以上、本発明によれば、点検の結果表示を明確に表示させ及びその入力を軽減することによりダウンタイムを短くすることができる。
【発明を実施するための最良の形態】
【０００７】
本発明の全体構成図を図1に示す。各サービス事業所にサーバPC1が設置されており、ネットワーク2を介して保守点検をする各現地サービス員にノートPCや携帯端末のネットワーク端末で連絡される。このネットワーク2は、有線および無線のいずれのネットワークによっても構成することができ、たとえば公衆電話回線網，移動通信網，インターネット等である。サーバPC1には主にMR装置、CT装置、超音波装置等の医療機器の保守管理データが保存されており、ネットワーク端末を通じて現地サービス員が適時にデータの表示或いは更新を行う。保守管理データは顧客名からX線管使用回数であり、あらゆるデータが保存されている。また、現地サービス員が所有するネットワーク端末3とネットワーク端末4とネットワーク端末5はサーバPC1を介してお互いに情報を共有できる状態になっている。
【０００８】
本発明の操作手順を図2に示す。
手順１１）点検支援ソフトを開く。
まず、現地サービス員が所有するノートPC或いは携帯端末をネットワークに接続させ、各所サーバ1のデータのやり取りができる状態にする。ノートPC或いは携帯端末に表示される画面上のアイコン“点検支援ソフト”をダブルクリックすると点検支援ソフトが起動する。点検支援プログラムを使用する場合は、“点検支援プログラム起動”のボタンをクリックする。又、新規顧客・サービス員データ等のメンテナンスデータを変更する場合は“システムメンテナンス”をクリックする。そして、サービス員情報や顧客情報等のデータの変更を行う。
【０００９】
手順１２）顧客を検索する。
“点検支援プログラム起動”をクリックすると顧客検索画面へ移動する。任意の文字列を入力し、“検索”ボタンをクリックすると検索結果画面へ移動する。検索画面では顧客コード、顧客名、住所、電話番号等から顧客を検索する。例えば、広島市内にある病院を住所から検索する場合、住所に“広島”というキーワードを入力する。そして、各所サーバ1のデータベース上に保存されている顧客名から検索され、その検索結果がノートPC或いは携帯端末に複数件表示される。
【００１０】
手順１３）顧客を指定する。
上記複数件の顧客名から所望の顧客を画面左端の矢印にて指定する、そして顧客名を選択し“納入装置一覧”をクリックする。それにより、装置及び点検表選択画面へ移動する。
【００１１】
手順１４）点検表を選択する。
顧客に対応する納入装置のデータは各所サーバ1のデータベース上に保存されている。よって“納入装置一覧”をクリックすることで、選択した顧客に納入されている装置の一覧が画面上部に出力される。そこで矢印にて装置を選択し、使用したい点検表のボタンをクリックする。また、“各種測定結果報告書・装置診断書”を作成したい場合も、この画面より移動することが出来る。
【００１２】
手順１５）点検表にデータを入力する。
現地にて点検を行いながらデータを入力する。入力作業のほとんどはマウスにて簡単に入力できる。チェックリスト・データシートにデータを入力したい場合はそれぞれのタブにて画面の切り替えを行う。
【００１３】
ここでタブの切り替えで表示される図3に示される履歴表示画面と、図4に示される点検表について説明する。図3に示される履歴表示画面は、31に装置を納入している顧客名、32に装置の製番、33に点検日、34に点検者、35にX線使用回数、所謂撮影回数、36に交換部品、37に特記事項が表示される。点検日33では、所望の点検日を選択することにより、その点検日に何の作業をしたのかを確認することができる。したがって、その装置のメンテナンス履歴が全て把握することができる。X線使用回数35を表示させることにより、消耗品の交換時期が大凡把握できるようになっている。また交換部品36で右端の矢印を選択することにより、今まで交換した交換部品の履歴が把握できるようになっている。特記事項37では“管球を交換しました。”等のメモ書きとして保存されている。そのため、点検者が別の人に代わったときにも対応できるようになっている。
【００１４】
図4に示される点検表は、図3の履歴表示画面と同様に、41に装置を納入している顧客名、42に装置の製番、43に点検日、44に点検者が表示され、45に安全点検等の作業の大別、46に点検内容、47に保守点検結果を表示させる。作業の大別45は、安全点検の他に昇降駆動や起倒駆動の確認が行われ、主にベルトが緩んでいないかどうかの点検が行われる。点検内容46は簡略のため特に図面ではネジの締付け、握り棒の取り付け、緊急停止スイッチ動作しか掲載していないが、今まで行った保守点検の主な内容を全て記載しており、点検漏れが内容に表示されている。そして、結果47もマウスでカーソルを合わせれば、その結果の選択肢が表示され、キーボード等で文字を入力する必要もない。ネジ関係の点検内容であれば、“異常なし”“締付け”“ネジ取換え”の選択肢が表示され、選択するだけで点検結果に入力させることができる。
【００１５】
また、図5に示されるようにデータシートにてX線管使用回数やI.I.相対輝度を入力することで測定経過のグラフを作成する。具体的には、履歴表示画面に表示されているX線使用回数35と点検日33、点検表に入力したX線使用回数45と点検日43により、点検日とX線使用回数を対応させ棒グラフ51の作成を行う。したがって、点検する際にX線使用回数を入力することにより、自動的に棒グラフ51を更新することができる。この棒グラフ51からX線使用回数の使用状況を把握することができ、この棒グラフ51の傾きから使用限度日時を逆算することにより、X線管の取換え日時が把握できる。ここではX線使用回数について述べたがI.I.相対輝度も同様であり、折れ線グラフ52の相対輝度の傾きから、I.I.の取換え時期も推定できる。
【００１６】
手順１６）点検報告書を印刷する。
点検報告書を印刷する画面を図6に示す。例えば、このI.I.点検状況の報告をする報告書の画面では、61に装置を納入している顧客66に相対輝度、管電圧、管電流、67に顧客や各事業所に対するコメントを表示されている。そして必要に応じて、68に装置の状況を示す画像を添付させたり、69に相対輝度状況を示すグラフを添付させたりしてもよい。相対輝度グラフ69は履歴情報を用いて作成することができるので、自動的に報告に必要な情報を表示させることができる。したがって、文字入力する部分はコメント67部分のみであるため、報告書を短時間で作成することができる。そして、この点検報告書の右隅の“印刷”ボタン70をクリックすることで点検報告書を印刷し出力することが出来る。また、チェックリストやデータシートを印刷したい場合は予め設定したそれぞれのタブに移動しタブ内にある“印刷”ボタンをクリックする。したがって、グラフ等で視覚的に経過が理解できるようにする写真等を点検報告書に添付し、部品交換個所等を具体的に把握できる。
【００１７】
以上、点検支援ソフトの使用によって以下の様な入力作業の改善効果があった。顧客名・室名・代表製番・納入日・点検日等の入力は自動で行う為、入力する必要が無い。
交換部品や測定器の記入は、登録しておけばマウスで選択するだけでよい。ほとんどの点検項目もマウスで選択するだけでよい。
【図面の簡単な説明】
【００１８】
【図１】本発明の全体構成図を示す図。
【図２】本発明の作業手順を示す図。
【図３】本発明の履歴表示画面を示す図。
【図４】本発明の点検表を示す図。
【図５】本発明のX線管使用回数及びI.I.の相対輝度グラフを示す図。
【図６】本発明の点検報告書を示す図。
【符号の説明】
【００１９】
1  各所サーバPC、２  ネットワーク、３  ネットワーク端末
【図１】
2005215825.tif 000003
【図２】
2005215825.tif 000004
【図３】
2005215825.tif 000005
【図４】
2005215825.tif 000006
【図５】
2005215825.tif 000007
【図６】
2005215825.tif 000008